(57)【要約】  車両情報処理部１６が、所定地点、所定区間内及び所定時間内のいずれかにおける少なくとも１台の車両の排気ガスの排出量等に関する情報である車両情報を収集し、エコ走行履歴ＤＢ２６が、車両情報処理部１６が収集した車両情報を車両が走行した地点ごとに蓄積し、ディスプレイ装置３０が、エコ走行履歴ＤＢ２６に蓄積された車両情報を、車両の走行した地点ごとに地点を含む地図上に画像により表示する。これにより、ドライバーは、車両の走行した地点における過去の走行実績を把握することが可能になり、ドライバーがエコ走行を行なうための指針やモチベーションをドライバーにより効果的に与えることが可能となり、ドライバーがエコ走行を行なうためにより有用な車載機とできる。
2010122666.tif 000002
【特許請求の範囲】
【請求項１】
所定地点、所定区間内及び所定時間内のいずれかにおける少なくとも１台の車両のエミッション量に関する情報である車両情報を収集する車両情報収集装置と、
前記車両情報収集装置が収集した前記車両情報を前記車両が走行した地点とともに蓄積する走行履歴データベースと、
前記走行履歴データベースに蓄積された前記車両情報を、前記車両の走行した地点ごとに表示する表示装置と、
を備えた車載機。
【請求項２】
前記エミッション量に関する情報とは、車両の排気ガスの排出量、燃料消費量、車速、加速度及びトランスミッションの使用ギアの少なくともいずれかに関する情報である、請求項１に記載の車載機。
【請求項３】
前記表示装置は、前記車両の走行した地点ごとの前記車両情報に応じて表示する内容を変更する、請求項１又は２に記載の車載機。
【請求項４】
前記表示装置は、前記走行履歴データベースに蓄積された前記車両情報を、前記車両の走行した地点ごとに前記地点を含む地図上に画像により表示する、請求項１〜３のいずれか１項に記載の車載機。
【請求項５】
前記表示装置は、前記車両情報を前記地図上にシンボルで表示する、請求項４に記載の車載機。
【請求項６】
前記表示装置は、前記車両情報における排気ガスの排出量がより少ない場合、燃料消費量がより少ない場合、車速がより遅い場合、加速度がより低い場合及びトランスミッションの使用ギアの減速比がより小さい場合のいずれかの場合ほど、前記シンボルを前記地図上に大きく表示する、請求項５に記載の車載機。
【請求項７】
前記表示装置は、前記車両の車種、大きさ、排気量及び燃費の少なくともいずれかに応じて前記シンボルを変更して表示する、請求項５又は６に記載の車載機。
【請求項８】
前記表示装置は、前記車両のドライバーの運転の技術及び経験の少なくともいずれかに応じて前記シンボルを変更して表示する、請求項５〜７のいずれか１項に記載の車載機。
【請求項９】
前記走行履歴データベースは、複数の前記車両についての前記車両情報を前記車両が走行した地点とともに蓄積し、
前記表示装置は、前記走行履歴データベースに蓄積された複数の前記車両についての前記車両情報を、複数の前記車両の走行した地点ごとに表示する、請求項１〜８のいずれか１項に記載の車載機。
【請求項１０】
前記表示装置は、前記走行履歴データベースに蓄積された複数の前記車両についての前記車両情報を、複数の前記車両の走行した地点ごとに前記地点を含む地図上に画像により表示する、請求項９に記載の車載機。
【請求項１１】
前記表示装置は、複数の前記車両についての前記車両情報を前記地図上にシンボルで表示し、自車両と他車両とで表示する前記シンボルを変更して表示する、請求項１０に記載の車載機。
【請求項１２】
前記表示装置は、前記地点における交通量が多いほど、前記地点付近において前記シンボルを前記地図上に表示する領域を広くする、請求項５〜８及び１１のいずれか１項に記載の車載機。
【請求項１３】
所定地点、所定区間内及び所定時間内のいずれかにおける少なくとも１台の車両のエミッション量に関する情報である車両情報を収集する車両情報収集装置と、
前記車両情報収集装置が収集した前記車両情報を前記車両が走行した地点とともに蓄積する走行履歴データベースと、
前記走行履歴データベースに蓄積された前記車両情報を前記車両に配信する配信装置と、
を備えた情報処理センター。
【請求項１４】
所定地点、所定区間内及び所定時間内のいずれかにおける少なくとも１台の車両のエミッション量に関する情報である車両情報を収集する車両情報収集装置と、
前記車両情報収集装置が収集した前記車両情報に基づいて、前記車両が環境の保護に貢献する走行をした度合を判定するエコ走行判定装置と、
前記エコ走行判定装置が判定した前記車両が環境の保護に貢献する走行をした度合であるエコ走行情報を前記車両が走行した地点とともに蓄積する走行履歴データベースと、
前記走行履歴データベースに蓄積された前記エコ走行情報を前記車両に配信する配信装置と、
を備えた情報処理センター。
【請求項１５】
前記エミッション量に関する情報とは、車両の排気ガスの排出量、燃料消費量、車速、加速度及びトランスミッションの使用ギアの少なくともいずれかに関する情報である、請求項１３又は１４に記載の情報処理センター。
【請求項１６】
前記車両情報収集装置は、前記車両の車種、大きさ、排気量及び燃費の少なくともいずれかに関する情報を収集し、
前記走行履歴データベースは、前記車両情報収集装置が収集した前記車両の車種、大きさ、排気量及び燃費の少なくともいずれかに関する情報と関連付けて前記車両情報及び前記エコ走行情報のいずれかを蓄積し、
前記車両情報配信装置は、前記走行履歴データベースに蓄積された前記車両情報及び前記エコ走行情報のいずれかと、前記車両情報に関連付けて蓄積された前記車両の車種、大きさ、排気量及び燃費の少なくともいずれかに関連する情報とを配信する、請求項１３〜１５のいずれか１項に記載の情報処理センター。
【請求項１７】
前記車両情報収集装置は、前記車両のドライバーの運転の技術及び経験の少なくともいずれかを収集し、
前記走行履歴データベースは、前記車両情報収集装置が収集した前記車両のドライバーの運転の技術及び経験の少なくともいずれかと関連付けて前記車両情報及び前記エコ走行情報のいずれかとを蓄積し、
前記車両情報配信装置は、前記走行履歴データベースに蓄積された前記車両情報及び前記エコ走行情報のいずれかと、前記車両情報及び前記エコ走行情報のいずれかに関連付けて蓄積された前記車両のドライバーの運転の技術及び経験の少なくともいずれかに関連する情報とを配信する、請求項１３〜１６のいずれか１項に記載の情報処理センター。
【請求項１８】
前記車両情報収集装置は、前記車両それぞれを識別するための情報を収集し、
前記走行履歴データベースは、前記車両情報収集装置が収集した前記車両それぞれを識別するための情報と関連付けて前記車両情報及び前記エコ走行情報のいずれかを蓄積し、
前記車両情報配信装置は、前記走行履歴データベースに蓄積された前記車両情報及び前記エコ走行情報のいずれかと、前記車両情報及び前記エコ走行情報のいずれかに関連付けて蓄積された前記車両それぞれを識別するための情報とを配信する、請求項１３〜１７のいずれか１項に記載の情報処理センター。
【請求項１９】
前記車両情報収集装置は、前記車両が走行した地点の交通量に関する情報を収集し、
前記車両情報配信装置は、前記走行履歴データベースに蓄積された前記車両情報及び前記エコ走行情報のいずれかと、前記車両情報収集装置が収集した前記車両が走行した地点の交通量に関する情報とを配信する、請求項１３〜１８のいずれか１項に記載の情報処理センター。
【発明の詳細な説明】
【技術分野】
【０００１】
本発明は車載機及び情報処理センターに関し、特に、車両の排気ガスの排出量等の情報を処理するための車載機及び情報処理センターに関するものである。
【背景技術】
【０００２】
近年、地球環境の保護の観点から、車両の排気ガスの排出量や燃料消費量を削減し、車両に環境の保護に貢献する走行（以下、「エコ」、「エコ走行」あるいは「エコ運転」と言うことがある。）をさせようとする試みがなされている。例えば、特許文献１には、車両の現在位置及び走行軌跡を表示部に連続的に表示するようにしたナビゲーションシステムにおいて、車両の走行実績（車速又は燃費）を走行軌跡上に表示するナビゲーションシステムが開示されている。【０００３】
このナビゲーションシステムでは、走行実績に応じて走行軌跡の表示色や表示線を変化させる。このナビゲーションシステムでは、例えば、車速が２０ｋｍ／ｈ以下では緑色、２０ｋｍ／ｈ〜４０ｋｍ／ｈでは青色、４０ｋｍ／ｈ〜８０ｋｍ／ｈでは黒色、及び８０ｋｍ／ｈ以上では赤色の走行軌跡を表示することにより、ドライバーに直感的に走行実績を認知させるようにしている。
【先行技術文献】
【特許文献】
【０００４】
【特許文献１】特公平５−８８４７５号公報
【発明の概要】
【発明が解決しようとする課題】
【０００５】
しかしながら、上記の技術では、そのときの一走行ごとの車速や燃費のみが表示されるため、車両が現に走行している走行路や、あるいは走行する予定である走行路について、車両がこれまでどのような車速や燃費で走行してきたかは不明である。すなわち、上記の技術では、車両のドライバーにとっては、そのとき限りのエコ走行の達成度が示されるに過ぎない。そのため、上記の技術では、ドライバーが将来にわたってエコ走行を行なうための指針やモチベーションをドライバーに与えることができない。したがって、上記のような従来技術は、ドライバーがエコ走行を行なったり、エコ運転への意識を高めるために十分な支援技術ではない。【０００６】
本発明は、このような事情を考慮してなされたものであり、その目的は、ドライバーがエコ走行を行なうためにより有用な車載機及び情報処理センターを提供することにある。
【課題を解決するための手段】
【０００７】
本発明は、所定地点、所定区間内及び所定時間内のいずれかにおける少なくとも１台の車両のエミッション量に関する情報である車両情報を収集する車両情報収集装置と、車両情報収集装置が収集した車両情報を車両が走行した地点とともに蓄積する走行履歴データベースと、走行履歴データベースに蓄積された車両情報を、車両の走行した地点ごとに表示する表示装置と、を備えた車載機である。【０００８】
この構成によれば、車両情報収集装置が、所定地点、所定区間内及び所定時間内のいずれかにおける少なくとも１台の車両のエミッション量に関する情報である車両情報を収集し、走行履歴データベースが、車両情報収集装置が収集した車両情報を車両が走行した地点とともに蓄積し、表示装置が、走行履歴データベースに蓄積された車両情報を、車両の走行した地点ごとに表示する。これにより、ドライバーは、車両の走行した地点における過去の走行実績を把握することが可能になり、ドライバーがエコ走行を行なうための指針やモチベーションをドライバーにより効果的に与えることが可能となり、ドライバーがエコ走行を行なうためにより有用な車載機とできる。【０００９】
この場合、エミッション量に関する情報とは、車両の排気ガスの排出量、燃料消費量、車速、加速度及びトランスミッションの使用ギアの少なくともいずれかに関する情報であるものとできる。【００１０】
この構成によれば、車両がエコ走行を行なったか否かが、車両の排気ガスの排出量、燃料消費量、車速、加速度及びトランスミッションの使用ギアによって判定されるため、より的確に車両がエコ走行を行ったか否かを判定することが可能となる。【００１１】
また、表示装置は、車両の走行した地点ごとの車両情報に応じて表示する内容を変更することが好適である。【００１２】
この構成によれば、表示装置は、車両の走行した地点ごとの車両情報に応じて表示する内容を変更するため、ドライバーは、車両の走行実績を直感的に把握可能となる。【００１３】
また、表示装置は、走行履歴データベースに蓄積された車両情報を、車両の走行した地点ごとに地点を含む地図上に画像により表示することが好適である。【００１４】
この構成によれば、表示装置は、走行履歴データベースに蓄積された車両情報を、車両の走行した地点ごとに地点を含む地図上に画像により表示するため、ドライバーは、車両の走行実績を視覚によりさらに直感的に把握可能となる。【００１５】
この場合、表示装置は、車両情報を地図上にシンボルで表示することが好適である。【００１６】
この構成によれば、表示装置は、車両情報を地図上にシンボルで表示するため、ドライバーは、車両の走行実績をさらに直感的に把握することが可能となる。【００１７】
この場合、表示装置は、車両情報における排気ガスの排出量がより少ない場合、燃料消費量がより少ない場合、車速がより遅い場合、加速度がより低い場合及びトランスミッションの使用ギアの減速比がより小さい場合のいずれかの場合ほど、シンボルを地図上に大きく表示することが好適である。【００１８】
この構成によれば、表示装置は、車両情報における排気ガスの排出量が少ない等の車両のエコ走行の達成度が高いほど、シンボルを地図上に大きく表示するため、ドライバーは、車両の走行実績をさらに一層直感的に把握することが可能となる。【００１９】
また、表示装置は、車両の車種、大きさ、排気量及び燃費の少なくともいずれかに応じてシンボルを変更して表示することが好適である。【００２０】
この構成によれば、表示装置は、車両の車種、大きさ、排気量及び燃費の少なくともいずれかに応じてシンボルを変更して表示するため、ドライバーは、車両の車種、大きさ、排気量及び燃費を直感的に把握することができ、ドライバーに対してより的確なエコ走行への指針やモチベーションを与えることが可能となる。なお、車両の車種、大きさ、排気量及び燃費は、例えば、車両のカタログ値を参考にすることができる。【００２１】
また、表示装置は、車両のドライバーの運転の技術及び経験の少なくともいずれかに応じてシンボルを変更して表示することが好適である。【００２２】
この構成によれば、表示装置は、車両のドライバーの運転の技術及び経験の少なくともいずれかに応じてシンボルを変更して表示するため、ドライバーは、ドライバーの運転の技術や経験を直感的に把握することができ、ドライバーに対してより的確なエコ走行への指針やモチベーションを与えることが可能となる。【００２３】
また、走行履歴データベースは、複数の車両についての車両情報を車両が走行した地点とともに蓄積し、表示装置は、走行履歴データベースに蓄積された複数の車両についての車両情報を、複数の車両の走行した地点ごとに表示することが好適である。【００２４】
この構成によれば、走行履歴データベースは、走行履歴データベースは、複数の車両についての車両情報を車両が走行した地点とともに蓄積し、表示装置は、走行履歴データベースに蓄積された複数の車両についての車両情報を、複数の車両の走行した地点ごとに表示するため、ドライバーは、自車だけではなく、自車と他車との走行実績を比較することができ、走行実績の良し悪しを客観的に評価することができる。【００２５】
この場合、表示装置は、走行履歴データベースに蓄積された複数の車両についての車両情報を、複数の車両の走行した地点ごとに地点を含む地図上に画像により表示することが好適である。【００２６】
この構成によれば、表示装置は、走行履歴データベースに蓄積された複数の車両についての車両情報を、複数の車両の走行した地点ごとに地点を含む地図上に画像により表示するため、ドライバーは、視覚により直感的に自車と他車との走行実績を比較することができる。【００２７】
この場合、表示装置は、複数の車両についての車両情報を地図上にシンボルで表示し、自車両と他車両とで表示するシンボルを変更して表示することが好適である。【００２８】
この構成によれば、表示装置は、複数の車両についての車両情報を地図上にシンボルで表示し、自車両と他車両とで表示するシンボルを変更して表示するため、ドライバーは、自車両の走行実績による環境の保護への貢献度を直感的に把握することができる。そのため、ドライバーは自分の走行に対する評価を行い、今後の走行において、エコ走行を行なう指針やモチベーションを得易くなる。【００２９】
さらに、表示装置は、地点における交通量が多いほど、当該地点付近においてシンボルを地図上に表示する領域を広くすることが好適である。【００３０】
この構成によれば、表示装置は、地点における交通量が多いほど、当該地点付近においてシンボルを地図上に表示する領域を広くするため、ドライバーは当該地点における交通量を直感的に把握し易くなる。そのため、ドライバーは、例えば表示領域が広いにも関わらず、走行実績が悪いシンボルが表示されている場合には、多くの車両がエコ走行をしていないことを直感的に把握することができる。【００３１】
一方、本発明は、所定地点、所定区間内及び所定時間内のいずれかにおける少なくとも１台の車両のエミッション量に関する情報である車両情報を収集する車両情報収集装置と、車両情報収集装置が収集した車両情報を車両が走行した地点とともに蓄積する走行履歴データベースと、走行履歴データベースに蓄積された車両情報を車両に配信する配信装置と、を備えた情報処理センターである。【００３２】
この構成によれば、車両情報収集装置が、所定地点、所定区間内及び所定時間内のいずれかにおける少なくとも１台の車両のエミッション量に関する情報である車両情報を収集し、走行履歴データベースが、車両情報収集装置が収集した車両情報を車両が走行した地点とともに蓄積し、配信装置が、走行履歴データベースに蓄積された車両情報を車両に配信するため、車両情報を配信された車両のドライバーは、車両の走行した地点における過去の走行実績を把握することが可能になり、ドライバーがエコ走行を行なうための指針やモチベーションをドライバーにより効果的に与えることが可能となり、ドライバーがエコ走行を行なうためにより有用な情報処理センターとできる。【００３３】
また、本発明は、所定地点、所定区間内及び所定時間内のいずれかにおける少なくとも１台の車両のエミッション量に関する情報である車両情報を収集する車両情報収集装置と、車両情報収集装置が収集した車両情報に基づいて、車両が環境の保護に貢献する走行をした度合を判定するエコ走行判定装置と、エコ走行判定装置が判定した車両が環境の保護に貢献する走行をした度合であるエコ走行情報を車両が走行した地点とともに蓄積する走行履歴データベースと、走行履歴データベースに蓄積されたエコ走行情報を車両に配信する配信装置とを備えた情報処理センターである。【００３４】
この構成によれば、車両情報収集装置が、所定地点、所定区間内及び所定時間内のいずれかにおける少なくとも１台の車両のエミッション量に関する情報である車両情報を収集し、エコ走行判定装置が、車両情報収集装置が収集した車両情報に基づいて、車両が環境の保護に貢献する走行をした度合を判定し、走行履歴データベースが、エコ走行判定装置が判定した車両が環境の保護に貢献する走行をした度合であるエコ走行情報を車両が走行した地点とともに蓄積し、配信装置が、走行履歴データベースに蓄積されたエコ走行情報を車両に配信するため、車両側では、車両情報を情報処理センターに送信しエコ走行情報を情報処理センターから受信する機能を有するだけで、エコ走行情報を配信された車両のドライバーは、車両の走行した地点における過去のエコ走行の実績を把握することが可能になり、車両側の装備を簡便なものとできる。【００３５】
この場合、エミッション量に関する情報とは、車両の排気ガスの排出量、燃料消費量、車速、加速度及びトランスミッションの使用ギアの少なくともいずれかに関する情報であることが好適である。【００３６】
この構成によれば、車両がエコ走行を行なったか否かが、車両の排気ガスの排出量、燃料消費量、車速、加速度及びトランスミッションの使用ギアによって判定されるため、より的確に車両がエコ走行を行ったか否かを判定することが可能となる。【００３７】
また、車両情報収集装置は、車両の車種、大きさ、排気量及び燃費の少なくともいずれかに関する情報を収集し、走行履歴データベースは、車両情報収集装置が収集した車両の車種、大きさ、排気量及び燃費の少なくともいずれかに関する情報と関連付けて車両情報及びエコ走行情報のいずれかを蓄積し、車両情報配信装置は、走行履歴データベースに蓄積された車両情報及びエコ走行情報のいずれかと、車両情報に関連付けて蓄積された車両の車種、大きさ、排気量及び燃費の少なくともいずれかに関連する情報とを配信することが好適である。【００３８】
この構成によれば、車両情報収集装置は、車両の車種、大きさ、排気量及び燃費の少なくともいずれかに関する情報を収集し、走行履歴データベースは、車両情報収集装置が収集した車両の車種、大きさ、排気量及び燃費の少なくともいずれかに関する情報と関連付けて車両情報及びエコ走行情報のいずれかを蓄積し、車両情報配信装置は、走行履歴データベースに蓄積された車両情報及びエコ走行情報のいずれかと、車両情報に関連付けて蓄積された車両の車種、大きさ、排気量及び燃費の少なくともいずれかに関連する情報とを配信するため、車両情報又はエコ走行情報を配信された車両のドライバーは、様々な車種、大きさ、排気量及び燃費の各車両が各地点においてどのような走行実績を挙げてきたかを把握できる。特に、ドライバーは自分の運転する車両と同等の排気量や燃費の車両が各地点においてどの程度のエコ走行を行なっているかを把握でき、ドライバーに対してエコ走行を行なうための指針やモチベーションをより効果的に与えることが可能となる。【００３９】
また、車両情報収集装置は、車両のドライバーの運転の技術及び経験の少なくともいずれかを収集し、走行履歴データベースは、車両情報収集装置が収集した車両のドライバーの運転の技術及び経験の少なくともいずれかと関連付けて車両情報及びエコ走行情報のいずれかとを蓄積し、車両情報配信装置は、走行履歴データベースに蓄積された車両情報及びエコ走行情報のいずれかと、車両情報及びエコ走行情報のいずれかに関連付けて蓄積された車両のドライバーの運転の技術及び経験の少なくともいずれかに関連する情報とを配信することが好適である。【００４０】
この構成によれば、車両情報収集装置は、車両のドライバーの運転の技術及び経験の少なくともいずれかを収集し、走行履歴データベースは、車両情報収集装置が収集した車両のドライバーの運転の技術及び経験の少なくともいずれかと関連付けて車両情報及びエコ走行情報のいずれかとを蓄積し、車両情報配信装置は、走行履歴データベースに蓄積された車両情報及びエコ走行情報のいずれかと、車両情報及びエコ走行情報のいずれかに関連付けて蓄積された車両のドライバーの運転の技術及び経験の少なくともいずれかに関連する情報とを配信するため、車両情報又はエコ走行情報を配信された車両のドライバーは、様々な技術及び経験のドライバーが各地点においてどのような走行実績を挙げてきたかを把握できる。特に、ドライバーは自分と同等の技術及び経験のドライバーが各地点においてどの程度のエコ走行を行なっているかを把握でき、ドライバーに対してエコ走行を行なうための指針やモチベーションをより効果的に与えることが可能となる。【００４１】
また、車両情報収集装置は、車両それぞれを識別するための情報を収集し、走行履歴データベースは、車両情報収集装置が収集した車両それぞれを識別するための情報と関連付けて車両情報及びエコ走行情報のいずれかを蓄積し、車両情報配信装置は、走行履歴データベースに蓄積された車両情報及びエコ走行情報のいずれかと、車両情報及びエコ走行情報のいずれかに関連付けて蓄積された車両それぞれを識別するための情報とを配信することが好適である。【００４２】
この構成によれば、車両情報収集装置は、車両それぞれを識別するための情報を収集し、走行履歴データベースは、車両情報収集装置が収集した車両それぞれを識別するための情報と関連付けて車両情報及びエコ走行情報のいずれかを蓄積し、車両情報配信装置は、走行履歴データベースに蓄積された車両情報及びエコ走行情報のいずれかと、車両情報及びエコ走行情報のいずれかに関連付けて蓄積された車両それぞれを識別するための情報とを配信するため、ドライバーは、自車両の走行実績による環境の保護への貢献度を直感的に把握することができる。そのため、ドライバーは自分の走行に対する評価を行い、今後の走行において、エコ走行を行なう指針やモチベーションを得易くなる。【００４３】
さらに、車両情報収集装置は、車両が走行した地点の交通量に関する情報を収集し、車両情報配信装置は、走行履歴データベースに蓄積された車両情報及びエコ走行情報のいずれかと、車両情報収集装置が収集した車両が走行した地点の交通量に関する情報とを配信することが好適である。【００４４】
この構成によれば、車両情報収集装置は、車両が走行した地点の交通量に関する情報を収集し、車両情報配信装置は、走行履歴データベースに蓄積された車両情報及びエコ走行情報のいずれかと、車両情報収集装置が収集した車両が走行した地点の交通量に関する情報とを配信するため、ドライバーは当該地点における交通量を把握し易くなる。そのため、ドライバーは、例えば交通量が多いにも関わらず、走行実績が悪いことを示す車両情報又はエコ走行情報を受信した場合には、多くの車両がエコ走行をしていないことを把握することができる。
【発明の効果】
【００４５】
本発明の車載機及び情報処理センターによれば、ドライバーがエコ走行を行なうためにより有用な車載機及び情報処理センターとできる。
【図面の簡単な説明】
【００４６】
【図１】第１実施形態に係る車載機の構成を示すブロック図である。
【図２】第１実施形態に係る車載機の動作を示すフロー図である。
【図３】第１実施形態に係るエコ走行診断の手順を示すフロー図である。
【図４】アクセル開度の閾値を求める基準となる車速と加速度との関係を示すグラフ図である。
【図５】エコ走行による燃費の向上を示すグラフ図である。
【図６】エコ走行による車速の減少を示すグラフ図である。
【図７】エコ走行履歴ＤＢに記録されたエコ走行履歴情報を示す図である。
【図８】今回の走行向上を示す図である。
【図９】エコ走行の達成度合に応じて背景地図に表示されるイメージの変遷を示す図である。
【図１０】所定距離ごとにエコ走行の達成度合を背景地図に表示する態様を示す図である。
【図１１】リアルタイムにエコ走行の達成度合を背景地図に表示する態様を示す図である。
【図１２】１Ｔｒｉｐごとにエコ走行の達成度合を背景地図に表示する態様を示す図である。
【図１３】所定距離ごとに累積したエコ走行の達成度合をイメージにより背景地図に表示する態様を示す図である。
【図１４】第２実施形態に係る車載機の構成を示すブロック図である。
【図１５】第２実施形態に係る車載機の動作を示すフロー図である。
【図１６】グループについて所定距離ごとに累積したエコ走行の達成度合を背景地図に表示する態様を示す図である。
【図１７】第３実施形態に係る車載機及びセンターの構成を示すブロック図である。
【図１８】第３実施形態に係る車載機及びセンターの動作を示すフロー図である。
【図１９】会員エコ走行履歴ＤＢに記録された会員のエコ走行履歴情報を示す図である。
【図２０】エコ走行の達成度合に応じて背景地図に表示されるイメージの変遷を示す図である。
【図２１】累積したエコ走行の達成度合をイメージにより会員共通の背景地図に表示する態様を示す図である。
【図２２】交通量をイメージにより会員共通の背景地図に表示する態様を示す図である。
【図２３】エコ走行履歴情報に基づいてセンターが提案したエコ走行可能ルートを会員共通の背景地図に表示する態様を示す図である。
【図２４】道路を通行する車種に応じて背景地図に表示されるイメージの変遷を示す図である。
【図２５】道路を通行する車種に応じてエコ走行の達成度合をイメージにより会員共通の背景地図に表示する態様を示す図である。
【図２６】会員の運転経験の多少に応じて背景地図に表示されるイメージの変遷を示す図である。
【図２７】会員の運転経験の多少に応じてエコ走行の達成度合を会員共通の背景地図に表示する態様を示す図である。
【図２８】第４実施形態に係る車載機及びセンターの構成を示すブロック図である。
【図２９】自分のエコ走行の達成度合を表示するイメージを示す図である。
【図３０】累積したエコ走行の達成度合を自分のイメージと他の会員のイメージとにより会員共通の背景地図に表示する態様を示す図である。
【図３１】第５実施形態に係る車載機及びセンターの構成を示すブロック図である。
【発明を実施するための形態】
【００４７】
以下、図面を参照して本発明の実施形態に係る車載機及びセンターを説明する。
【００４８】
本実施形態の車載機は、車両に搭載され、各地点におけるエコ走行の走行実績をドライバーに表示するためのものである。図１に示すように、本実施形態の車載機１０ａは、車両情報センサ１２、ＧＰＳセンサ１４、車両情報処理部１６、位置情報処理部１８、エコ走行診断処理部２０、エコ走行計算処理部２２、地図描画処理部２４、エコ走行履歴ＤＢ２６、地図ＤＢ２８及びディスプレイ装置３０を備えている。
【００４９】
車両情報センサ１２は、車両の各種の情報を取得するためのものである。車両情報センサ１２は、具体的には、所定地点、所定区間内及び所定時間内のいずれかにおける車両の排気ガスの排出量、燃料消費量、車速、加速度及びトランスミッションの使用ギアといった各種の車両情報を検出するセンサである。排気ガスの排出量としては、炭素酸化物（ＣＯｘ）、窒化酸化物（ＮＯｘ）、炭化水素（ＨＣ）等の排出量を検出するものとできる。トランスミッションの使用ギアとしては、オートマティックトランスミッションであれば、シフトレバー位置がＤレンジにあるか否か、加速度を重視するパワーモードあるいはスポーツモードとなっているか否か、電動機による走行を行なうＥＶモードとなっているか否かを検出するものとできる。
【００５０】
ＧＰＳセンサ１４は、ＧＰＳ（Global  Positioning  System）衛星からの信号をＧＰＳ受信機で受信し、各々の信号の相違から車両の位置を測位するためのものである。
【００５１】
車両情報処理部１６は、車両情報センサ１２から出力された各種の車両情報に関する信号を、エコ走行診断処理部２０が処理可能な状態に処理するためのものである。
【００５２】
位置情報処理部１８は、ＧＰＳセンサ１４から出力された車両の位置に関する信号を、エコ走行診断処理部２０が処理可能な状態に処理するためのものである。
【００５３】
エコ走行診断部２０は、車両情報処理部１６が処理した車両情報と位置情報処理部１８とが処理した位置情報とに基づいて、後述する手法により、所定地点、所定区間内及び所定時間内のいずれかにおいて、車両の排気ガスの排出量、燃料消費量、車速、加速度及びトランスミッションの使用ギアといった各種の車両情報が所定の条件を満たし、車両がエコ走行を行なっているか否かの判定を行うためのものである。
【００５４】
エコ走行履歴ＤＢ２６は、エコ走行診断処理部２０が診断した車両がエコ走行を行なっているか否かの判定結果（エコ走行情報）を、車両が走行した地点ごとに蓄積するためのものである。
【００５５】
なお、エコ走行診断部２０は、個々のドライバーの認証を行い、個々のドライバーごとにエコ走行情報を算出し、エコ走行履歴ＤＢ２６は、個々のドライバーごとにエコ走行情報を蓄積するようにしても良い。
【００５６】
エコ走行計算処理部２２は、エコ走行診断処理部２０が処理した現在のエコ走行情報と、エコ走行履歴ＤＢ２６に蓄積された過去のエコ走行情報とを合わせて、車両が走行した地点ごとのエコ走行の状況を示す情報を作成するためのものである。
【００５７】
地図描画処理部２４は、エコ走行計算処理部２２が作成した車両が走行した地点ごとのエコ走行の状況を示す情報と、地図ＤＢ２８に記録されている車両が走行した地点付近の地図情報とに基づいて、ナビゲーションシステム等のディスプレイ装置３０に、当該地点ごとのエコ走行の状況を表示させるためのものである。
【００５８】
以下、本実施形態の車載機１０ａの動作について説明する。図２に示すように、走行時において、車載機１０ａのエコ走行診断処理部２０は、所定距離（例えば１００ｍ）、所定時間（例えば、１０秒）、１走行行程（１Ｔｒｉｐ）ごと、又はリアルタイムにエコ走行診断を行なう（Ｓ１０１）。
【００５９】
以下、エコ走行診断処理部２０によるエコ走行診断の手法について説明する。図３に示すように、エコ走行診断処理部２０は、車両情報センサ１２が検出したオートマティックトランスミッションのシフト位置がＤレンジ以外（Ｐ、Ｒ、Ｎ、スポーツモード、パワーモード他）でないことを確認する（Ｓ１０１ａ）。エコ走行診断処理部２０は、車両情報センサ１２が検出した車両の車速が所定の範囲、例えば４ｋｍ／ｈ以下又は１１０ｋｍ／ｈ以上でないことを確認する（Ｓ１０１ｂ）。エコ走行診断処理部２０は、車両情報センサ１２が検出した車両のアクセル開度（加速度）が所定の閾値を超えていないことを確認する（Ｓ１０１ｃ）。
【００６０】
この場合の加速度の閾値としては、例えば、図４に示すように、一般道路における車速（ｋｍ／ｈ）に対する加速度（ｍ／ｓ２）の統計をとり、車速に対する加速度の上限値の７０％の値を当該閾値として設定することができる。
【００６１】
図３に戻り、オートマティックトランスミッションのシフト位置がＤレンジであり（Ｓ１０１ａ）、車両の車速が４ｋｍ／ｈ以下又は１１０ｋｍ／ｈ以上でなく（Ｓ１０１ｂ）、車両の加速度が閾値以下であるときは（Ｓ１０１ｃ）、エコ走行診断処理部２０は、車両がエコ走行を行っていることを示すインジケータを点灯し、ドライバーが確認可能とする（Ｓ１０１ｄ）。これらの、１１０ｋｍ／ｈ以上といった閾値は、車両が高速道路を走行しエコ走行が困難であることを想定したものであり、例えば、１０４ｋｍ／ｈ〜１２０ｋｍ／ｈの範囲に定めることができる。また、４ｋｍ／ｈ以上といった閾値は、車両が渋滞路等を走行しエコ走行が困難であることを想定したものであり、例えば、１ｋｍ／ｈ〜１０ｋｍ／ｈの範囲に定めることができる。
【００６２】
一方、オートマティックトランスミッションのシフト位置がＤレンジではないときは（Ｓ１０１ａ）、エコ走行診断処理部２０は、システムを停止しインジケータを消灯する（Ｓ１０１ｅ）。また、車両の車速が４ｋｍ／ｈ以下又は１１０ｋｍ／ｈ以上であるか（Ｓ１０１ｂ）、あるいは車両の加速度が閾値を超えているときは（Ｓ１０１ｃ）、エコ走行診断処理部２０は、インジケータを消灯する（Ｓ１０１ｆ）。
【００６３】
このようにして、エコ走行診断処理部２０は、車両がエコ走行を実施しているか否かを判定することができる。この場合のエコ走行の判定結果は、所定距離内又は所定時間内にエコ走行の実施を示す上記インジケータが点灯していた割合に基づいて、例えば、「良い」、「標準」及び「悪い」と三段階に判定することができる。
【００６４】
ここで、上記のようなインジケータが点灯されるエコ走行の状態では、図５の丸プロットのグラフに示すように、通常走行の四角プロットのグラフに比べて燃費が平均で約７％向上することが判る。また、図６に示すように、エコ走行を実施しているときは（ＯＮ）、エコ走行を実施していないとき（ＯＦＦ）に比べて、車速が平均して約１０ｋｍ／ｈ低下することが判る。
【００６５】
図２に戻り、エコ走行計算処理部２２は、エコ走行診断処理部２０が処理した今回のエコ走行情報と、エコ走行履歴ＤＢ２６に蓄積された過去のエコ走行情報とを合わせて、車両が走行した地点ごとのエコ走行の状況を示す情報を作成する（Ｓ１０２）。
【００６６】
ここで、図７に示すように、エコ走行履歴ＤＢ２６には、車両が走行した日付と、車両が走行した地点の緯度・経度と、エコ走行診断処理部２０による診断結果とが対応付けて蓄積されている。エコ走行計算処理部２２は、エコ走行履歴ＤＢ２６内から、例えば過去１ヶ月といった任意の期間内、あるいは例えば１００Ｔｒｉｐ分といった任意のＴｒｉｐ回数内のデータのみ積算する。これは、加算する情報が多すぎると、普段通る道路におけるエコ走行の状態を的確に把握することができなくなるからである。
【００６７】
図７の例では、１ヶ月以内のＡ地点の情報を収集した場合、エコ走行診断の結果で「良い」が２回となっている。また、図８に示すように、Ａ地点を走行した今回のエコ走行診断の結果は「良い」である。よって、エコ走行計算処理部２２は、過去のエコ走行診断の結果である「良い」２回と、今回のエコ走行診断の結果である「良い」１回とを合計して、表現するエコ走行情報を「良い」３回分として計算する。
【００６８】
図２に戻り、地図描画処理部２４は、エコ走行計算処理部２２が計算した地点ごとのエコ走行の状態と、地図ＤＢ２８の地図情報と照合を行い、該当する道路（リンク）の脇に当該エコ走行情報を示すシンボルをディスプレイ装置３０の表示画面に描画する（Ｓ１０３）。
【００６９】
図９に示すように、本実施形態では、過去のエコ走行の達成度を植物の成長度を示すエコ走行シンボル１２０ａ〜１２０ｃのアニメーションで表現する。図９に示すように、当該地点において過去からの累積のエコ走行診断の結果「良い」が１回以上３回未満であれば、芽を示すエコ走行シンボル１２０ａが表示される。累積のエコ走行診断の結果「良い」が３回以上５回未満であれば、花を示すエコ走行シンボル１２０ｂが表示される。累積のエコ走行診断の結果「良い」が５回以上であれば、木を示すエコ走行シンボル１２０ｂが表示される。
【００７０】
これらのエコ走行シンボル１２０ａ〜１２０ｃは、芽、花及び木とといった順調に植物が成長する様子を表示することもあれば、当該地点でエコ走行を実施する時間間隔が空いてしまうことにより、花から花が散って芽に戻ったり、木から花や芽に戻ってしまう様子を表示することもある。
【００７１】
図１０に示すように、ディスプレイ装置３０の表示画面は、道路１１０を車両シンボル１００が走行する所定距離ｄごと、あるいは所定時間ごとにシンボル１２０ａ等を表示することができる。所定距離ｄは例えば１００ｍとし、所定時間は例えば１０ｓｅｃとすることができる。また、図１１に示すように、ディスプレイ装置３０の表示画面は、リアルタイムに車両シンボル１００が道路１１０を通過し次第、シンボル１２０ａ等を表示することができる。さらに、図１２に示すように、ディスプレイ装置３０の表示画面は、出発地１３１から目的地１３２までといった１Ｔｒｉｐごとにシンボル１２０ａ等を表示することができる。
【００７２】
本実施形態では、過去のエコ走行情報と今回のエコ走行情報とが累積した結果が表示されるため、例えば、図１３に示すように、ディスプレイ装置３０の表示画面は、道路１１０を車両シンボル１００が走行する所定距離ｄごとにシンボル１２０ａ〜１２０ｃを表示することができる。シンボル１２０ａ〜１２０ｃは、車両シンボル１００の通過ごとに変化するものとできる。
【００７３】
図２に戻り、エコ走行診断処理部２０は、今回の診断結果と位置情報とを一緒に対応付けてエコ走行履歴ＤＢ２６に蓄積する（Ｓ１０４）。これにより、次回、当該地点を走行する際に、車載機１０ａが再度、上記と同様の動作を行なうことができる。
【００７４】
本実施形態によれば、車両情報処理部１６が、所定地点、所定区間内及び所定時間内のいずれかにおける少なくとも１台の車両の排気ガスの排出量、燃料消費量、車速、加速度及びトランスミッションの使用ギアの少なくともいずれかに関する情報である車両情報を収集し、エコ走行履歴ＤＢ２６が、車両情報処理部１６が収集した車両情報を車両が走行した地点ごとに蓄積し、ディスプレイ装置３０が、エコ走行履歴ＤＢ２６に蓄積された車両情報を、車両の走行した地点ごとに地点を含む地図上に画像により表示する。これにより、ドライバーは、車両の走行した地点における過去の走行実績を把握することが可能になり、ドライバーがエコ走行を行なうための指針やモチベーションをドライバーにより効果的に与えることが可能となり、ドライバーがエコ走行を行なうためにより有用な車載機とできる。
【００７５】
また本実施形態によれば、車両がエコ走行を行なったか否かが、車両の排気ガスの排出量、燃料消費量、車速、加速度及びトランスミッションの使用ギアによって判定されるため、より的確に車両がエコ走行を行ったか否かを判定することが可能となる。
【００７６】
また本実施形態によれば、ディスプレイ装置３０は、車両の走行した地点ごとの車両情報に応じて表示する内容を変更するため、ドライバーは、車両の走行実績を直感的に把握可能となる。特に、本実施形態によれば、ディスプレイ装置３０は、車両情報を地図上に植物の成長を示すシンボル１２０ａ〜１２０ｃで表示するため、ドライバーは、車両の走行実績をさらに直感的に把握することが可能となる。
【００７７】
また本実施形態によれば、ディスプレイ装置３０は、エコ走行履歴ＤＢ２６に蓄積された車両情報を、車両の走行した地点ごとに地点を含む地図上に画像により表示するため、ドライバーは、車両の走行実績を視覚によりさらに直感的に把握可能となる。
【００７８】
加えて、本実施形態によれば、ディスプレイ装置３０は、車両情報における排気ガスの排出量が少ない等の車両のエコ走行の達成度が高いほど、植物の成長を示すシンボル１２０ａ〜１２０ｃを地図上に大きく表示するため、ドライバーは、車両の走行実績をさらに一層直感的に把握することが可能となる。
【００７９】
特に、本実施形態によれば、図１０〜１３に示すように、車両シンボル１００の追加した地点のエコ走行情報がすぐにディスプレイ装置３０の表示画面に反映されるため、ドライバーは、エコ走行の状態の変化をすぐに理解することができる。本実施形態では、図１３に示すように、木を示すシンボル１２０ｃが多い地点や道路１１０は何度もエコ走行が達成できているということが、文字やグラフ等による説明無しでドライバーは把握することができる。つまり、ドライバーは、より緒区間的にエコ走行の状況を認知可能となり、ディスプレイ装置３０の画面を注視する時間を短くすることができる。加えて、本実施形態では、車両シンボルの通過後に、植物が成長する様子を示すようにシンボル１２０ａ〜１２０ｃがアニメーションとして変化するため、ドライバーは今回の走行がエコ走行であったかを、一目で直感的に把握することができる。
【００８０】
以下、本発明の第２実施形態について説明する。図１４に示すように、本実施形態の車載機１０ｂは、エコ走行計算処理部２２に他車両と車車間通信を行う車車間通信機３２が接続されている点が、上記第１実施形態と異なっている。エコ走行計算処理部２２は、自車両の他、複数の他車両の各地点ごとのエコ走行情報を受信して、当該エコ走行情報を集計し、各車両が走行した地点ごとのエコ走行の状況を示す情報を作成する。
【００８１】
以下、本実施形態の車載機１０ｂの動作について説明する。ここでは、３台の車両がグループ走行を行なっている状況を前提とする。図１５に示すように、グループ走行中の各車両の車載機１０ｂのエコ走行診断処理部２０が、上記第１実施形態と同様にエコ走行診断を行なう（Ｓ２０１）。各車両の車載機１０ｂのエコ走行計算処理部２２が、各車両が走行した地点ごとのエコ走行の状況を示す情報を作成する（Ｓ２０２）。
【００８２】
各車両の車載機１０ｂの車車間通信機３２は、車車間通信により、各車両が走行した地点ごとのエコ走行の状況を示す情報を共有する（Ｓ２０３）。各車両のエコ走行計算処理部２２は、車車間通信により共有した各車両のエコ走行の状況を示す情報を集計し、各車両の地図描画処理部２４は、集計結果に基づいて、上記第１実施形態と同様に、エコ走行情報を示すシンボルをディスプレイ装置３０の表示画面に描画する（Ｓ２０４）。
【００８３】
この場合、図１６に示すように、各車両のディスプレイ装置３０の表示画面には、道路１１０をグループ走行する車両シンボル１０１ａ〜１０１ｃが通過した所定距離ｄごとに、植物の成長を示すシンボル１２０ａ〜１２０ｃが表示される。各車両のエコ走行診断処理部２０は、今回の診断結果と位置情報とを一緒に対応付けてエコ走行履歴ＤＢ２６に蓄積する（Ｓ２０５）。これにより、次回、各車両が当該地点をグループ走行する際に、各車両の車載機１０ｂが再度、上記と同様の動作を行なうことができる。
【００８４】
本実施形態では、複数の車両でグループ走行を行う際に、車車間通信により各車両が走行した地点ごとのエコ走行の状況を示す情報を共有するため、各車両のドライバーは、グループ走行により車両の走行した地点における過去の走行実績を把握することが可能になり、ドライバーがエコ走行を行なうための指針やモチベーションをドライバーに単独走行のときよりも効果的に与えることが可能となり、ドライバーがエコ走行を行なうためにより有用な車載機とできる。
【００８５】
以下、本発明の第３実施形態について説明する。本実施形態では、センターが、エコ走行を目指す団体の会員である複数のドライバー向けに、エコ走行を行なうために有益な情報を配信する。特に本実施形態では、各地点における各会員のエコ走行の状態を示すエコ走行マップ（以下、エコマップと言うことがある）を各会員で共有する。
【００８６】
図１７に示すように、本実施形態の車載機１０ｃは、エコ走行判定処理部２３、地図描画処理部２４、地図ＤＢ２８、表示装置３１及び通信Ｉ／Ｆ３４を備えている。
【００８７】
エコ走行判定処理部２３は、車載ＥＣＵ間の通信にて送信されている燃費情報について、自車種の規定の燃費との比較を行い、「良い」「標準」「悪い」といったエコ走行判定を行う。エコ走行判定の結果は、通信Ｉ／Ｆ３４によりセンター５０ａに送信される。
【００８８】
地図描画処理部２４は、上記第１実施形態と同様に、表示装置３１の表示画面上にエコマップを描画するためのものである。地図描画処理部２４は、通信Ｉ／Ｆ３４を介してセンター５０ａへ会員のエコ走行情報の提供を要求し、描画を行う。
【００８９】
通信Ｉ／Ｆ３４は、車載機１０ｃとセンター５０ａとの間の通信制御を行うインターフェースである。
【００９０】
一方、センター５０ａは、エコ走行履歴集計処理部５２、会員エコ走行履歴ＤＢ５４、地図ＤＢ５６、会員エコ走行情報提供部５８、エコルート提案処理部６０及び通信Ｉ／Ｆ６２を備える。
【００９１】
エコ走行履歴集計処理部５２は、車載機１０ｃから受信したエコ走行判定の結果を路側に配置されたノードごとに集計を行なうためのものである。センター５０ａは、車載機１０ｃからは、緯度及び経度とエコ走行判定の結果とを対応付けて受信するが、エコ走行履歴集計処理部５２は、最も近いノードへマッチング処理を行い、エコ走行判定の結果を集計する。
【００９２】
会員エコ走行履歴ＤＢ５４は、エコ走行履歴集計処理部５２が集計したデータを蓄積するデータベースである。地図ＤＢ５６は、エコ走行履歴集計処理部５２において、経度及び緯度とのマッチングを行うノードを決定するためのリンク情報を有するデータベースである。
【００９３】
会員エコ走行情報提供部５８は、車載機１０ｃからの要求に応じて、指定エリアのエコ走行情報の蓄積したデータを会員エコ走行履歴ＤＢ５４から読み出し、通信Ｉ／Ｆ６２を介して車載機１０ｃに送信を行なうためのものである。
【００９４】
エコルート提案処理部６０は、車載機１０ｃからの要求に応じ、ナビゲーションシステムで基本的なルート探索機能に加えて、会員エコ走行履歴ＤＢ５４から読み出した会員のエコ走行情報の履歴に基づいて、エコ走行判定の「良い」が多くなる経路の順に重み付けをしてルート探索を行なうためのものである。
【００９５】
通信Ｉ／Ｆ６２は、車載機１０ｃの通信Ｉ／Ｆ３４と同様に車載機１０ｃとセンター５０ａとの間の通信制御を行うインターフェースである。なお、車載機１０ｃの通信Ｉ／Ｆ３４と、センター５０ａの通信Ｉ／Ｆ６２とは、セキュリティ及びプラバシー保護の観点から、通信時には互いに認証を行い、会員以外のアクセスを防止し、会員による通信であっても必要以上に個々の会員のエコ走行情報が漏洩することを防止するようにアクセス制限を行なう。
【００９６】
以下、本実施形態の車載機１０ｃ及びセンター５０ａの動作について説明する。図１８に示すように、各会員の車載機１０ｃのエコ走行判定処理部２３は、上記第１実施形態と同様にして１０ｍ間隔でエコ走行判定を行ない、当該結果を蓄積し、１Ｔｒｉｐ終了後に、エコ走行情報の履歴のデータをセンター５０ａに送信する（Ｓ２０１）。
【００９７】
センター５０ａのエコ走行履歴集計処理部５２は、各車両のエコ走行情報のデータを各地点ごとに集計し、会員エコ走行履歴ＤＢ５４に蓄積する（Ｓ２０２）。図１９に示すように、会員エコ走行履歴ＤＢ５４には、日付、会員番号、車載機番号、緯度・経度及びエコ走行診断の結果が関連付けられて蓄積される。図１９の例では、Ａ地点の所定期間内に、エコ走行診断の結果「良い」が２回であるとされる。
【００９８】
センター５０ａのエコルート提案処理部６０は、集計した地点ごとのエコ走行情報のデータにより、ルート計算で用いるリンク情報への重み付けを行なう（Ｓ２０３）。
【００９９】
車両のエンジン始動時に、各車両の車載機１０ｃの通信Ｉ／Ｆ３４は、必要な地点付近のエコ走行情報の集計データをセンター５０ａに要求し、センター５０ａの会員エコ走行情報提供部５８は、車載機１０ｃにエコ走行情報の集計データを配信する。センター５０ａからエコ走行情報の集計データを受信した車載機１０ｃの地図描画処理部２４は、地図ＤＢ２８の地図データを参照しつつ、表示装置３１の表示画面に示される当該地点付近の背景地図へエコ走行の状態を表示する（Ｓ２０４）。
【０１００】
図２０に示すように、本実施形態では、過去のエコ走行の達成度を樹木の茂り具合を示すエコ走行シンボル１２０ｄ〜１２０ｅのアニメーションで表現する。図２０に示すように、当該地点において過去からの累積のエコ走行診断の結果「良い」が多ければ多いほど、樹木が良く茂った状態を示すエコ走行シンボル１２０ｄが表示され、当該地点において過去からの累積のエコ走行診断の結果「良い」が少なければ少ないほど、樹木が枯れた状態を示すエコ走行シンボル１２０ｅが表示される。
【０１０１】
また、図２１に示すように、本実施形態では、エコ走行が達成できている度合を、エコ走行シンボル１２０ｄの密度で表現する。例えば、エコ走行が達成できている車両が多いエリアＡ１では、木を示すエコ走行シンボル１２０ｄの密度が高密度で描かれる。一方、エコ走行が達成できている車両が少ないエリアでは、木を示すエコ走行シンボル１２０ｄの密度が低密度で描かれる。ただし、交通量が多い道路で、エコ走行が達成できている車両が少ないエリアＡ２では、枯れ木を示すエコ走行シンボル１２０ｅが描かれ、エコ走行が達成できていない状態であることが会員に伝えられる。
【０１０２】
すなわち、本実施形態では、枯れていない木の密度が高い道路はエコ走行がしやすい道路である、ということが文字やアイコンによる説明無しにドライバーが把握することができる。アイコンでは、その意味をドライバーに説明し、ドライバーがその意味を覚えることが必要となる。一方、木が環境保護を意味するという概念は、もはや常識であり、木の量が多いことがエコ走行が達成できている、と理解することに説明は必要なく、直感的に認知が可能である。したがって、本実施形態では、ドライバーが表示装置３１の表示画面を注視する時間を短くすることができる。
【０１０３】
また、本実施形態では、地図描画処理部２４は、図２２に示すように、道路１１０の交通量に応じて、木を示すエコ走行シンボル１２０ｄ等を道路１１０の脇に描く幅を決定する。即ち、交通量の少ないエリアＡ３では、木を示すエコ走行シンボル１２０ｄを描く幅が狭い、一方、交通量の多いエリアＡ４では、木を示すエコ走行シンボル１２０ｅを描く幅が広い。交通量は、当該地点における路側施設や車載機１０ｃからの情報により、リアルタイムでセンター５０ａに送信される。センター５０ａは当該交通量に関する情報を各車両の車載機１０ｃに配信する。
【０１０４】
従来、道路種別により、国道は交通量が多く、県道は少ないといった一般概念が示されてきた。しかし、実態としては、都道でありながら交通量が非常に多い道路が存在し、違和感があった。本実施形態では、実際にどの程度の数の車両が通行しているのかという実際のデータを元にエコ走行の状態を表すエコ走行シンボル１２０ｄを描く幅を決定しているので、実際の道路における交通量とエコ走行との相関が、ドライバーにより理解し易くなっている。
【０１０５】
図１８に戻り、ドライバーが会員である車両がナビゲーションシステムによる経路案内のルート設定を行なったとき（Ｓ２０５）、センター５０ａのエコルート提案処理部６０は、車載機１０ｃからの要求に応じ、会員エコ走行履歴ＤＢ５４から読み出した会員のエコ走行情報の履歴に基づいて、エコ走行判定の「良い」が多くなる経路の順に重み付けをしてルート探索を行なう（Ｓ２０６）。
【０１０６】
センター５０ａのエコルート提案処理部６０が、車両側でルート設定をした経路よりもエコ走行判定の「良い」が多くなる経路を発見した場合は（Ｓ２０６）、エコルート提案処理部６０は当該エコ走行が可能な経路を当該車両の車載機１０ｃに提示する（Ｓ２０７）。
【０１０７】
例えば、図２３に示すように、車両シンボル１００で示される車両が目的地シンボル１４０で示される目的地に向かう場合、直線路を通行しようとすると、エコマップ上で会員がエコ走行が出来ていないことを示すエコ走行シンボル１２０ｅが多数表示されているエリアＡ５を通行することになる。そこで、エコルート提案処理部６０は、当該エリアＡ５を回避する経路Ｒを提案する。
【０１０８】
すなわち、本実施形態では、エコルート提案処理部６０は、多くの会員がエコ走行が出来ている経路に対しては重み付けを重く行い、逆に多くの会員がエコ走行が出来ておらず、悪い走行を行なっている経路に対しては回避するようなデータ処理を行う。車載機１０ｃの地図描画処理部２４は、会員によるデータに基づくエコマップにセンター５０ａから提案された経路Ｒを描画し、会員の走行結果による提案であることが直感的に理解できるようにする。
【０１０９】
また、本実施形態においては、エコマップにより会員のエコ走行情報を共有する際に、会員が運転する車両の車種等の情報もエコマップ上に反映させることが可能である。例えば、図２４に示すように、車両の車種や規定の大きさ、排気量又は燃費に応じて、大型で排気量が多く燃費の悪い車両については、針葉樹を示すエコ走行シンボル１２０ｆでエコ走行情報を表示し、小型で排気量が少なく燃費の良い車両については、広葉樹を示すエコ走行シンボル１２０ｇでエコ走行情報を表示するものとできる。
【０１１０】
排気量等の分類による車両の大きさや、幅員による車両の道路への通り易さは、エコ運転のし易さに関連が深い。そこで、本実施形態では、センター５０ａのエコ走行履歴集計処理部５２で車載機１０ｃから送られてきたエコ走行情報を集計する際に、車両の車種等の情報もエコ走行情報と関連付けて集計する。なお、これらの車両の車種等の情報は、ドライバーの会員登録の際に車両の車種等の情報も登録させ、車載機１０ｃとセンター５０ａとの通信で認証を行なう際に当該情報を読み出すようにする。あるいは、車両の車種、大きさ、排気量及び燃費等の情報は、例えば、車両のカタログ値を参考にすることができる。
【０１１１】
地図描画処理部２４は、エコマップへの描画の際に、例えば図２５に示すように、エコ走行し易い車両がエコ走行を行なったエリアＡ６は、広葉樹を示すエコ走行シンボル１２０ｇでエコ走行情報を表示することができ、エコ走行し難い車両がエコ走行を行なった地点は、針葉樹を示すエコ走行シンボル１２０ｆでエコ走行情報を表示することができる。
【０１１２】
これにより、ドライバーは直感的に自分の車両の車種等に適した道を知ることができる。また、センター５０ａで集約されたエコ走行情報を車載機１０ｃ側で表示する際に、ドライバーは同じ車種、大きさ等に分類される車両のみ、エコ走行シンボルの木の種類を変えることで、会員のドライバーによって異なるが同じ車種等の車両を運転するドライバー同士で有用な情報の把握を促したり（ユーザー適応）、同じ車種、大きさ等の車両を運転するドライバー同士のコミュニティを作る意識を育てることができる。
【０１１３】
また、本実施形態においては、エコマップにより会員のエコ走行情報を共有する際に、会員であるドライバーの運転の技術又は経験等の情報もエコマップ上に反映させることが可能である。例えば、図２６に示すように、一般的な技術又は経験のドライバーのエコ走行情報を示すエコ走行シンボル１２０ｄに対して、技術が未熟で経験が浅いドライバーのエコ走行情報は、苗木を示すエコ走行シンボル１２０ｈでエコ走行情報を表示するものとできる。一方、技術が高く経験が豊富なドライバーのエコ走行情報は、古木を示すエコ走行シンボル１２０ｉでエコ走行情報を表示するものとできる。
【０１１４】
ドライバーの運転の技術や経験は、エコ運転が可能か否かに関連が深い。そこで、本実施形態では、センター５０ａのエコ走行履歴集計処理部５２で車載機１０ｃから送られてきたエコ走行情報を集計する際に、ドライバーの技術又は経験等の情報もエコ走行情報と関連付けて集計する。なお、これらのドライバーの技術等の情報は、ドライバーの会員登録の際にドライバーの運転技術水準や運転経験年数等の情報も登録させ、車載機１０ｃとセンター５０ａとの通信で認証を行なう際に当該情報を読み出すようにする。あるいは、ドライバーの運転技術は、過去の交通違反回数、エコ運転を行ったと判断された累積回数等を基に判断することができる。また、ドライバーの運転経験は、センター５０ａからのサービス開始からの経過日数、累積走行時間等を基に判断することができる。
【０１１５】
地図描画処理部２４は、エコマップへの描画の際に、例えば図２７に示すように、技術が未熟で経験が浅いドライバーがエコ走行を行なった地点は、苗木を示すエコ走行シンボル１２０ｈでエコ走行情報を表示することができ、技術が高く経験が豊富なドライバーのエコ走行情報は、古木を示すエコ走行シンボル１２０ｉでエコ走行情報を表示することができる。
【０１１６】
これにより、ドライバーは直感的に自分の運転の技術又は経験に適した道を知ることができる。特に、技術が未熟で経験の浅いドライバーにとっては、技術が高く経験が豊富なドライバーのエコ走行の傾向を参考にすることができる。さらに、同程度の技術又は経験のドライバー同士のコミュニティを作る意識を育てることができる。
【０１１７】
本実施形態では、エコ走行履歴集計処理部５２が、所定地点、所定区間内及び所定時間内のいずれかにおける少なくとも１台の車両の排気ガスの排出量、燃料消費量、車速、加速度及びトランスミッションの使用ギアの少なくともいずれかに関する情報であるエコ走行情報を収集し、会員エコ走行履歴ＤＢ５４が、エコ走行履歴集計処理部５２が収集したエコ走行情報を車両が走行した地点ごとに蓄積し、会員エコ走行情報提供部５８が、会員エコ走行履歴ＤＢ５４に蓄積されたエコ車両情報を車両に配信するため、エコ走行情報を配信された車両のドライバーは、車両の走行した地点における過去の走行実績を把握することが可能になり、ドライバーがエコ走行を行なうための指針やモチベーションをドライバーにより効果的に与えることが可能となり、ドライバーがエコ走行を行なうためにより有用なセンターとできる。
【０１１８】
また、本実施形態では、センター５０ａ側において、エコ走行履歴集計処理部５２は、車両が走行した地点の交通量に関する情報を収集し、会員エコ走行情報提供部５８は、会員エコ走行履歴ＤＢ５４に蓄積されたエコ走行情報と、エコ走行履歴集計処理部５２が収集した車両が走行した地点の交通量に関する情報とを配信する。
【０１１９】
車載機１０ｃ側においては、表示装置３１は、地点における交通量が多いほど、当該地点付近においてエコ走行シンボル１２０ｄを地図上に表示する領域を広くするため、ドライバーは当該地点における交通量を直感的に把握し易くなる。そのため、ドライバーは、例えば表示領域が広いにも関わらず、走行実績が悪いシンボルが表示されている場合には、多くの車両がエコ走行をしていないことを直感的に把握することができる。
【０１２０】
特に、本実施形態では、センター５０ａ側において、エコ走行履歴集計処理部５２は、車両の車種、大きさ、排気量又は燃費に関する情報を収集し、会員エコ走行履歴ＤＢ５４は、エコ走行履歴集計処理部５２が収集した車両の車種等に関する情報と関連付けてエコ走行情報を蓄積し、会員エコ走行情報提供部５８は、会員エコ走行履歴ＤＢ５４に蓄積されたエコ走行情報と、エコ走行情報に関連付けて蓄積された車両の車種等に関連する情報とを配信する。
【０１２１】
車載機１０ｃ側においては、表示装置３１は、車両の車種、大きさ、排気量又は燃費に応じてエコ走行シンボル１２０ｆ、１２０ｇを変更して表示するため、ドライバーは、車両の車種、大きさ、排気量又は燃費を直感的に把握することができ、ドライバーに対してより的確なエコ走行への指針やモチベーションを与えることが可能となる。車両のドライバーは、様々な車種、大きさ、排気量及び燃費の各車両が各地点においてどのような走行実績を挙げてきたかを把握できる。特に、ドライバーは自分の運転する車両と同等の排気量や燃費の車両が各地点においてどの程度のエコ走行を行なっているかを把握でき、ドライバーに対してエコ走行を行なうための指針やモチベーションをより効果的に与えることが可能となる。
【０１２２】
また、本実施形態では、センター５０ａ側において、エコ走行履歴集計処理部５２は、車両のドライバーの運転の技術又は経験の少なくともいずれかを収集し、会員エコ走行履歴ＤＢ５４は、エコ走行履歴集計処理部５２が収集した車両のドライバーの運転の技術又は経験と関連付けてエコ走行情報を蓄積し、会員エコ走行情報提供部５８は、会員エコ走行履歴ＤＢ５４に蓄積されたエコ走行情報と、エコ走行情報に関連付けて蓄積された車両のドライバーの運転の技術又は経験に関連する情報とを配信する。
【０１２３】
車載機１０ｃ側においては、表示装置３１は、車両のドライバーの運転の技術及び経験の少なくともいずれかに応じてエコ走行シンボル１２０ｈ、１２０ｉを変更して表示するため、ドライバーは、ドライバーの運転の技術や経験を直感的に把握することができ、ドライバーに対してより的確なエコ走行への指針やモチベーションを与えることが可能となる。エコ走行情報を配信された車両のドライバーは、様々な技術及び経験のドライバーが各地点においてどのような走行実績を挙げてきたかを把握できる。特に、ドライバーは自分と同等の技術及び経験のドライバーが各地点においてどの程度のエコ走行を行なっているかを把握でき、ドライバーに対してエコ走行を行なうための指針やモチベーションをより効果的に与えることが可能となる。
【０１２４】
以下、本発明の第４実施形態について説明する。本実施形態では、自分の運転によるエコ走行情報と他人の運転によるエコ走行情報とを区別してドライバーに表示する。図２８に示すように、本実施形態の車載機１０ｄは、自分が運転した車両の地点ごとのエコ走行情報を蓄積する自車エコ走行履歴ＤＢ２７を備えている。
【０１２５】
本実施形態においては、エコマップにおいて会員のエコ走行情報を共有する際に、会員自身の情報を他の会員と区別して同時に表示し、自分の環境保護に対する貢献度を視覚表現することで、環境保護に対する意識を啓発する。例えば、図２９に示すように、本実施形態では、自分のエコ走行シンボル１２０ｊは、他人のエコ走行シンボル１２０ｄ、１２０ｅと区別可能なものとされている。
【０１２６】
上述したように、会員エコ走行履歴ＤＢ５４には、会員を識別する会員番号とエコ走行情報とが関連付けて蓄積されているため、車載機１０ｄは、自分の会員番号に係るエコ走行情報以外の情報をセンター５０ａから受信し、自分のエコ走行情報は自車エコ走行履歴ＤＢ２７から読み出して、表示部３１の表示画面にエコマップを描画する。あるいは、車載機１０ｄは、自分及び他の会員のエコ走行情報をセンター５０ａから受信して、会員番号により当該エコ走行情報が自分のものか他の会員のものかを区別して描画を行なっても良い。
【０１２７】
地図描画処理部２４は、エコマップへの描画の際に、例えば図３０に示すように、自分がエコ走行を行なった地点は、エコ走行シンボル１２０ｊでエコ走行情報を表示することができる。これにより、ドライバーに自分の貢献度を直感的に認識させることができる。
【０１２８】
本実施形態では、センター５０ａ側において、エコ走行履歴集計処理部５２は、車両それぞれを識別するための情報を収集し、会員エコ走行履歴ＤＢ５４は、エコ走行履歴集計処理部５２が収集した車両それぞれを識別するための情報と関連付けてエコ走行情報を蓄積し、会員エコ走行情報提供部５８は、会員エコ走行履歴ＤＢ５４に蓄積されたエコ走行情報と、エコ走行情報に関連付けて蓄積された車両それぞれを識別するための情報とを配信する。
【０１２９】
車載機１０ｄ側においては、表示装置３１は、複数の車両についての車両情報を地図上にエコ走行シンボル１２０ｄ、１２０ｊで表示し、自車両と他車両とで表示するシンボルを変更して表示するため、ドライバーは、自車両の走行実績による環境の保護への貢献度を直感的に把握することができる。そのため、ドライバーは自分の走行に対する評価を行い、今後の走行において、エコ走行を行なう指針やモチベーションを得易くなる。
【０１３０】
以下、本発明の第５実施形態について説明する。図３１に示すように、本実施形態では、車載機１０ｅの側には、車両情報センサ１２が検出した情報からエコ走行判定を行うエコ走行判定処理部は備えておらず、センター５０ｂの側にエコ走行判定を行うエコ走行判定処理部５１が備えられている。
【０１３１】
車載機１０ｅは、車両情報センサ１２で検出した車両の排気ガスの排出量、燃料消費量、車速、加速度及びトランスミッションの使用ギアといった車両情報と、ＧＰＳセンサ１４で検出した位置情報とをそのままセンター５０ｂに送信する。センター５０ｂでは、エコ走行判定処理部５１により車載機１０ｅから受信した車両情報についてエコ判定を行い、上記第３実施形態と同様にエコ走行履歴集計処理部５２にて、処理を行う。
【０１３２】
本実施形態では、エコ走行判定処理部５１が、所定地点、所定区間内及び所定時間内のいずれかにおける車両の排気ガスの排出量等の車両情報を収集し、当該車両情報に基づいて、車両が環境の保護に貢献するエコ走行をした度合を判定し、会員エコ走行履歴ＤＢ５４が、エコ走行判定処理部５１が判定した車両が環境の保護に貢献する走行をした度合であるエコ走行情報を車両が走行した地点ごとに蓄積し、会員エコ走行情報提供部５８が、会員エコ走行履歴ＤＢ５４に蓄積されたエコ走行情報を車両に配信するため、車両側では、車両情報をセンター５０ｂに送信しエコ走行情報をセンター５０ｂから受信する機能を有するだけで、エコ走行情報を配信された車両のドライバーは、車両の走行した地点における過去のエコ走行の実績を把握することが可能になり、車両側の装備を簡便なものとできる。
【０１３３】
以上、本発明の実施の形態について説明したが、本発明は、上記実施形態に限定されるものではなく種々の変形が可能である。
【産業上の利用可能性】
【０１３４】
本発明は、ドライバーがエコ走行を行なうためにより有用な車載機及びセンターを提供することができる。
【符号の説明】
【０１３５】
１０ａ〜１０ｅ  車両制御装置
１２  車両情報センサ
１４  ＧＰＳセンサ
１６  車両情報処理部
１８  位置情報処理部
２０  エコ走行診断処理部
２２  エコ走行計算処理部
２３  エコ走行判定処理部
２４  地図描画処理部
２６  エコ走行履歴ＤＢ
２７  自車エコ走行履歴ＤＢ
２８  地図ＤＢ
３０  ディスプレイ装置
３１  表示装置
３２  車車間通信機
３４  通信Ｉ／Ｆ
５０ａ，５０ｂ  センター
５１  エコ走行判定処理部
５２  エコ走行履歴集計処理部
５４  会員エコ走行履歴ＤＢ
５６  地図ＤＢ
５８  会員エコ走行情報提供部
６０  エコルート提案処理部
６２  通信Ｉ／Ｆ
１００，１００ａ〜１００ｃ  車両シンボル
１１０  道路
１２０ａ〜１２０ｊ  エコ走行シンボル
１３２  出発地
１３４  目的地
１４０  目的地シンボル
【図１】
2010122666.tif 000003
【図２】
2010122666.tif 000004
【図３】
2010122666.tif 000005
【図４】
2010122666.tif 000006
【図５】
2010122666.tif 000007
【図６】
2010122666.tif 000008
【図７】
2010122666.tif 000009
【図８】
2010122666.tif 000010
【図９】
2010122666.tif 000011
【図１０】
2010122666.tif 000012
【図１１】
2010122666.tif 000013
【図１２】
2010122666.tif 000014
【図１３】
2010122666.tif 000015
【図１４】
2010122666.tif 000016
【図１５】
2010122666.tif 000017
【図１６】
2010122666.tif 000018
【図１７】
2010122666.tif 000019
【図１８】
2010122666.tif 000020
【図１９】
2010122666.tif 000021
【図２０】
2010122666.tif 000022
【図２１】
2010122666.tif 000023
【図２２】
2010122666.tif 000024
【図２３】
2010122666.tif 000025
【図２４】
2010122666.tif 000026
【図２５】
2010122666.tif 000027
【図２６】
2010122666.tif 000028
【図２７】
2010122666.tif 000029
【図２８】
2010122666.tif 000030
【図２９】
2010122666.tif 000031
【図３０】
2010122666.tif 000032
【図３１】
2010122666.tif 000033
【手続補正書】
【提出日】平成22年4月12日(2010.4.12)
【手続補正１】
【補正対象書類名】特許請求の範囲
【補正対象項目名】全文
【補正方法】変更
【補正の内容】
【特許請求の範囲】
【請求項１】
所定地点、所定区間内及び所定時間内のいずれかにおける少なくとも１台の車両のエミッション量に関する情報である車両情報を収集する車両情報収集装置と、
前記車両情報収集装置が収集した前記車両情報を前記車両が走行した地点とともに蓄積する走行履歴データベースと、
前記走行履歴データベースに蓄積された前記車両情報を、前記車両の走行した地点ごとに表示する表示装置と、
を備え、
前記表示装置は、
前記走行履歴データベースに蓄積された前記車両情報を、前記車両の走行した地点ごとに前記地点を含む地図上に画像によりシンボルで表示し、
前記車両情報における排気ガスの排出量がより少ない場合、燃料消費量がより少ない場合、車速がより遅い場合、加速度がより低い場合及びトランスミッションの使用ギアの減速比がより小さい場合のいずれかの場合ほど、前記シンボルを前記地図上に大きく表示する、車載機。
【請求項２】
前記表示装置は、前記車両の車種、大きさ、排気量及び燃費の少なくともいずれかに応じて前記シンボルを変更して表示する、請求項１に記載の車載機。
【請求項３】
前記表示装置は、前記車両のドライバーの運転の技術及び経験の少なくともいずれかに応じて前記シンボルを変更して表示する、請求項１又は２に記載の車載機。
【請求項４】
前記走行履歴データベースは、複数の前記車両についての前記車両情報を前記車両が走行した地点とともに蓄積し、
前記表示装置は、
前記走行履歴データベースに蓄積された複数の前記車両についての前記車両情報を、複数の前記車両の走行した地点ごとに前記地点を含む地図上に画像によりシンボルで表示し、自車両と他車両とで表示する前記シンボルを変更して表示する、請求項１〜３のいずれか１項に記載の車載機。
【請求項５】
前記表示装置は、前記地点における交通量が多いほど、前記地点付近において前記シンボルを前記地図上に表示する領域を広くする、請求項１〜４のいずれか１項に記載の車載機。
【請求項６】
前記エミッション量に関する情報とは、車両の排気ガスの排出量、燃料消費量、車速、加速度及びトランスミッションの使用ギアの少なくともいずれかに関する情報である、請求項１〜５のいずれか１項に記載の車載機。
【請求項７】
前記表示装置は、前記車両の走行した地点ごとの前記車両情報に応じて表示する内容を変更する、請求項１〜６のいずれか１項に記載の車載機。
【国際調査報告】
2010122666.tif 000034
2010122666.tif 000035
2010122666.tif 000036
2010122666.tif 000037
2010122666.tif 000038
2010122666.tif 000039
2010122666.tif 000040
2010122666.tif 000041